(57)【特許請求の範囲】
【請求項１】
ムラ現象の補償方法であって、
その補償方法は、以下の手順１と、手順２と、手順３と、手順４と、手順５と、を備え、
前記手順１では、
ＬＣＤ表示パネルを提供し、前記ＬＣＤ表示パネルを複数のアレイ状に配置された表示領域に分け、ＭとＮは、どちらも１より大きい整数とし、各表示領域は、いずれも、Ｍ行目、Ｎ列目の画素点を備え、ＬＣＤ表示パネル境界部において画素点がＭ×Ｎ個に満たない場合、１つの境界表示領域と見なし、
前記手順２では、
０のグレースケールと最大グレースケールを含むＫ個のグレースケールを選択し、Ｋを正整数とし、０から最大グレースケールまでを（Ｋ−１）個のグレースケール領域に分け、Ｍ×Ｎ個の画素点を含む各表示領域において、いずれも、１行目１列目という明確な位置における事前選択画素点を選択し、前記事前選択画素点におけるＫ個のグレースケールのグレースケール補償データを取得し、
前記手順３では、
求める画素点の対応する表示領域内における第１水平補間係数Ａ１と、第２水平補間係数Ａ２と、第１垂直補間係数Ｂ１と、第２垂直補間係数Ｂ２と、第１グレースケール補間係数Ｃ１と、第２グレースケール補間係数Ｃ２を計算し、
このとき、０≦Ａ１≦１、０≦Ａ２≦１、Ａ１＋Ａ２＝１であり、Ｍ×Ｎ個の画素点を含む１つの表示領域において、前記表示領域内における事前選択画素点が存在する列から順に右へ進み、前記表示領域の右の境界に到達すると、左の境界に進み、さらに前記事前選択画素点が存在する列の左側と隣接する一列にまで順に右へ進み、各列における求める画素点の第１水平補間係数Ａ１は、順にＮ／Ｎ、Ｎ−１／Ｎ、……、１／Ｎであり、第２水平補間係数Ａ２は、順に０／Ｎ、１／Ｎ、……、Ｎ−１／Ｎであり、
０≦Ｂ１≦１、０≦Ｂ２≦１、Ｂ１＋Ｂ２＝１であり、Ｍ×Ｎ個の画素点を含む１つの表示領域において、前記表示領域内における事前選択画素点が存在する行から順に下へ進み、前記表示領域の下の境界に到達すると、上の境界へ進み、さらに前記事前選択画素点が存在する行の上側と隣接する一行にまで順に下へ進み、各行における求める画素点の第１垂直補間係数Ｂ１は、順にＭ／Ｍ、Ｍ−１／Ｍ、……、１／Ｍであり、第２垂直補間係数Ｂ２は、順に０／Ｍ、１／Ｍ、……、Ｍ−１／Ｍであり、
求める画素点を入力したグレースケールデータ信号と既知のＫ個のグレースケールに基づいて比較を行い、求める画素点が存在するグレースケールが位置するグレースケール領域を取得し、０≦Ｃ１≦１、０≦Ｃ２≦１、Ｃ１＋Ｃ２＝１であり、前記第１グレースケール補間係数Ｃ１は、求める画素点が存在するグレースケールとそれが位置するグレースケール領域における上の境界との差の値と、グレースケール領域全体の長さの比率であり、前記第２グレースケール補間係数Ｃ２は、求める画素点が存在するグレースケールとそれが位置するグレースケール領域における下の境界との差の値と、グレースケール領域全体の長さの比率であり、
前記手順４では、
求める画素点が存在する位置の周囲において、前記求める画素点を囲んでいて、かつ、最も近い４つの事前選択画素点のグレースケール補償データに基づき、公式（１）によって非境界表示領域における求める画素点が存在するグレースケールのグレースケール補償データｄを計算し、
求める画素点を囲んでいて、かつ、最も近い４つの事前選択画素点は、求める画素点が存在する表示領域における事前選択画素点と、求める画素点が存在する表示領域の右側と隣接する表示領域における事前選択画素点と、求める画素点が存在する表示領域の下側と隣接する表示領域における事前選択画素点と、求める画素点が存在する表示領域の右下の角と隣接する表示領域における事前選択画素点であり、
（１）は、ｄ＝Ｃ１×（Ｂ１×（ｄ１×Ａ１＋ｄ２×Ａ２）＋Ｂ２×（ｄ３×Ａ１＋ｄ４×Ａ２））＋Ｃ２×（Ｂ１×（ｄ５×Ａ１＋ｄ６×Ａ２）＋Ｂ２×（ｄ７×Ａ１＋ｄ８×Ａ２））であり、
そのうち、
ｄ１とｄ５は、求める画素点が存在する位置の周囲において最も近い４つの事前選択画素点によって構成される長方形の左上の角の事前選択画素点において求める画素点が存在するグレースケールが位置するグレースケール領域における２つの境界グレースケールのグレースケール補償データであり、
ｄ２とｄ６は、求める画素点が存在する位置の周囲において最も近い４つの事前選択画素点によって構成される長方形の右上の角の事前選択画素点において求める画素点が存在するグレースケールが位置するグレースケール領域における２つの境界グレースケールのグレースケール補償データであり、
ｄ３とｄ７は、求める画素点が存在する位置の周囲において最も近い４つの事前選択画素点によって構成される長方形の左下の角の事前選択画素点において求める画素点が存在するグレースケールが位置するグレースケール領域における２つの境界グレースケールのグレースケール補償データであり、
ｄ４とｄ８は、求める画素点が存在する位置の周囲において最も近い４つの事前選択画素点によって構成される長方形の右下の角の事前選択画素点において求める画素点が存在するグレースケールが位置するグレースケール領域における２つの境界グレースケールのグレースケール補償データであり、
前記手順５では、
各境界表示領域において１行目１列目の画素点を選択してそれを事前選択画素点とし、各境界表示領域における事前選択画素点の既知のＫ個のグレースケールのグレースケール補償データによって、公式（２）により各境界表示領域において事前選択画素点における任意のグレースケールのグレースケール補償データを算出し、
対応する境界表示領域内におけるその他の画素点のグレースケール補償データと前記事前選択画素点のグレースケール補償データは、同じであり、
（２）は、ｄ＝ｄ１×Ｃ１＋ｄ２×Ｃ２であり、
そのうち、
ｄ１は、前記事前選択画素点における求めるグレースケールが存在するグレースケール領域における上の境界のグレースケール補償データであり、
ｄ２は、前記事前選択画素点における求めるグレースケールが存在するグレースケール領域における下の境界のグレースケール補償データであり、
前記第１グレースケール補間係数Ｃ１は、求めるグレースケールとグレースケール領域における右の境界との差の値と、グレースケール領域全体の長さの比率であり、
前記第２グレースケール補間係数Ｃ２は、求めるグレースケールとグレースケール領域における左の境界との差の値と、グレースケール領域全体の長さの比率である
ことを特徴とする請求項１に記載のムラ現象の補償方法。
【請求項２】
請求項１に記載のムラ現象の補償方法において、
前記手順２において、
４つのメモリ装置を提供し、前記４つのメモリ装置は、それぞれ第１メモリ装置、第２メモリ装置、第３メモリ装置、第４メモリ装置であり、
ＬＣＤ表示パネルをそれぞれがＭ×Ｎの画素点を有する表示領域がアレイ状に並んでいるとみて、
前記第１メモリ装置は、行方向にみて奇数番目で列方向にみて奇数番目に位置する表示領域の事前選択画素点のＫ個のグレースケールにおけるグレースケール補償データを保存するのに用いられ、
前記第２メモリ装置は、行方向にみて奇数番目で列方向にみて偶数番目に位置する表示領域の事前選択画素点のＫ個のグレースケールにおけるグレースケール補償データを保存するのに用いられ、
前記第３メモリ装置は、行方向にみて偶数番目で列方向にみて奇数番目に位置する表示領域の事前選択画素点のＫ個のグレースケールにおけるグレースケール補償データを保存するのに用いられ、
前記第４メモリ装置は、行方向にみて偶数番目で列方向にみて偶数番目に位置する表示領域の事前選択画素点のＫ個のグレースケールにおけるグレースケール補償データを保存するのに用いられる
ことを特徴とするムラ現象の補償方法。
【請求項３】
請求項１に記載のムラ現象の補償方法において、
前記手順２における最大グレースケールは、２５５グレースケールである
ことを特徴とする請求項１に記載のムラ現象の補償方法。
【請求項４】
請求項１に記載のムラ現象の補償方法において、
求める画素点が事前選択画素点である場合、公式（２）に基づいて任意のグレースケールにおける事前選択画素点のグレースケール補償データｄを計算し、
（２）は、ｄ＝ｄ１×Ｃ１＋ｄ２×Ｃ２であり、
そのうち、
ｄ１は、前記事前選択画素点における求めるグレースケールが存在するグレースケール領域における上の境界のグレースケール補償データであり、
ｄ２は、前記事前選択画素点における求めるグレースケールが存在するグレースケール領域における下の境界のグレースケール補償データであり、
前記第１グレースケール補間係数Ｃ１は、求めるグレースケールとグレースケール領域における上の境界との差の値と、グレースケール領域全体の長さの比率であり、
前記第２グレースケール補間係数Ｃ２は、求めるグレースケールとグレースケール領域における下の境界との差の値と、グレースケール領域全体の長さの比率である
ことを特徴とするムラ現象の補償方法。
【請求項５】
請求項１に記載のムラ現象の補償方法において、
求める画素点が存在するグレースケールが前記Ｋ個のグレースケールのうちの１つのグレースケールである場合、求める画素点が存在するグレースケールのグレースケール補償データｄは、公式（３）によって計算され、
（３）は、ｄ＝（ｄ１×Ａ１＋ｄ２×Ａ２）×Ｂ１＋（ｄ３×Ａ１＋ｄ４×Ａ２）×Ｂ２であり、
そのうち、
ｄ１は、求める画素点が存在する位置の周囲において最も近い４つの事前選択画素点によって構成される長方形の左上の角の事前選択画素点における求める画素点が存在するグレースケールのグレースケール補償データであり、
ｄ２は、求める画素点が存在する位置の周囲において最も近い４つの事前選択画素点によって構成される長方形の右上の角の事前選択画素点における求める画素点が存在するグレースケールのグレースケール補償データであり、
ｄ３は、求める画素点が存在する位置の周囲において最も近い４つの事前選択画素点によって構成される長方形の左下の角の事前選択画素点における求める画素点が存在するグレースケールのグレースケール補償データであり、
ｄ４は、求める画素点が存在する位置の周囲において最も近い４つの事前選択画素点によって構成される長方形の右下の角の事前選択画素点における求める画素点が存在するグレースケールのグレースケール補償データである
ことを特徴とする請求項１に記載のムラ現象の補償方法。
【発明の詳細な説明】
【技術分野】
【０００１】
本発明は、液晶ディスプレイの技術分野に関し、特に、ムラ現象の補償方法に関する。
【背景技術】
【０００２】
液晶表示装置（Ｌｉｑｕｉｄ  Ｃｒｙｓｔａｌ  Ｄｉｓｐｌａｙ、ＬＣＤ）は、機体が薄く、省エネで、放射線が出ない等の多くの長所を備えるため、迅速に現在市場における主流製品となり、液晶テレビ、携帯電話、携帯情報端末（ＰＤＡ）、デジタルカメラ、コンピューターのスクリーンまたはノートパソコンのスクリーン等に、幅広く適用されており、フラットパネルディスプレイの分野においてリーダーシップをとっている。
【０００３】
ＬＣＤ表示装置が軽量化、薄型化、大型化の方向に向かってますます発展するのに伴い、実際の製造プロセスにおいて制御できない要素により、ＬＣＤ表示パネルの各部の物理的特性に相違が存在することで、１つの画素点より大きい範囲内において、完全なグレースケール画像を表示する際に、輝度が不均一になる現象、つまり業界ではＭｕｒａ現象と呼ばれる現象が生じる。
【０００４】
ムラ現象は、ＬＣＤの発展を制約するネックとなっている。製造技術のレベルを向上させる、または原材料の純度を上げる等の方法によってムラ現象が発生する確率を低くすることができる。すでに製造されたＬＣＤ表示パネルについては、その物理的特性はすでに定型化されているため、この場合、グレースケール補償の方法によって画素点の輝度を補正することができ、さらにムラ現象を改善することができる。
【０００５】
グレースケール補償は、画素のグレースケール値を変えることによって、輝度の均一性が改善される。つまり、完全なグレースケール画像を表示する際、表示輝度の比較的高い画素には、比較的低いグレースケール値を入力し、表示輝度の比較的低い画素には、比較的高いグレースケール値を入力することによって、グレースケール補償後の各画素の輝度がほぼ一致するようにすることで、ムラ現象を改善することができる。
【０００６】
ムラ現象を補償する従来の技術は、通常ＬＣＤ表示パネルのスクリーン全体のすべての画素点における各グレースケールのそれぞれのデータを計算し補償する必要があるため、データ量が膨大であり、ハードウェアのメモリに求められる要求もより高くなる。
【０００７】
ＬＣＤ表示パネルのサイズが大きくなるのに伴い、従来のムラ現象を補償する技術は、ますます時間と手間がかかり、ムラ現象の補償方法は改善が必要とされている。
【発明の概要】
【発明が解決しようとする課題】
【０００８】
本発明は、従来技術におけるムラ現象が生じているＬＣＤ表示パネルを補正する場合に、すべての画素点における各グレースケールのそれぞれの補償データを計算しなければならず時間と手間がかかるという問題を解決し、計算の難易度を落とし、演算量を減らし、ハードウェアのメモリの消費を抑えて、ムラ補償の效果を保証するとともに、時間と手間を省き、簡単且つ迅速に補償を行うムラ現象の補償方法を提供することを目的とする。
【課題を解決するための手段】
【０００９】
上述の目的を達成するために、本発明は、以下の手順からなるムラ現象の補償方法を提供する。
【００１０】
手順１は、ＬＣＤ表示パネルを提供し、前記ＬＣＤ表示パネルを複数のアレイ状に配置された表示領域に分ける。ＭとＮは、どちらも１より大きい整数とし、各表示領域は、いずれも、Ｍ行目、Ｎ列目の画素点を備え、ＬＣＤ表示パネル境界部において画素点がＭ×Ｎ個に満たない場合、１つの境界表示領域と見なす。
【００１１】
手順２は、０のグレースケールと最大グレースケールを含むＫ個のグレースケールを選択する。Ｋを正整数とし、０から最大グレースケールまでを（Ｋ−１）個のグレースケール領域に分ける。Ｍ×Ｎ個の画素点を含む各表示領域において、いずれも、ｍ行目ｎ列目という明確な位置における事前選択画素点を選択する。そのうち、１≦ｍ≦Ｍ、１≦ｎ≦Ｎであり、前記事前選択画素点におけるＫ個のグレースケールのグレースケール補償データを取得する。
【００１２】
手順３は、求める画素点の対応する表示領域内における第１水平補間係数Ａ１と、第２水平補間係数Ａ２と、第１垂直補間係数Ｂ１と、第２垂直補間係数Ｂ２と、第１グレースケール補間係数Ｃ１と、第２グレースケール補間係数Ｃ２を計算する。
【００１３】
手順４は、求める画素点が存在する位置の周囲において最も近い４つの事前選択画素点のグレースケール補償データに基づき、公式（１）によって非境界表示領域における求める画素点が存在するグレースケールのグレースケール補償データｄを計算する。
【００１４】
（１）は、ｄ＝Ｃ１×（Ｂ１×（ｄ１×Ａ１＋ｄ２×Ａ２）＋Ｂ２×（ｄ３×Ａ１＋ｄ４×Ａ２））＋Ｃ２×（Ｂ１×（ｄ５×Ａ１＋ｄ６×Ａ２）＋Ｂ２×（ｄ７×Ａ１＋ｄ８×Ａ２））である。
【００１５】
そのうち、ｄ１とｄ５は、求める画素点が存在する位置の周囲において最も近い４つの事前選択画素点によって構成される長方形の左上の角の事前選択画素点において求める画素点が存在するグレースケールが位置するグレースケール領域における２つの境界グレースケールのグレースケール補償データである。ｄ２とｄ６は、求める画素点が存在する位置の周囲において最も近い４つの事前選択画素点によって構成される長方形の右上の角の事前選択画素点において求める画素点が存在するグレースケールが位置するグレースケール領域における２つの境界グレースケールのグレースケール補償データである。ｄ３とｄ７は、求める画素点が存在する位置の周囲において最も近い４つの事前選択画素点によって構成される長方形の左下の角の事前選択画素点において求める画素点が存在するグレースケールが位置するグレースケール領域における２つの境界グレースケールのグレースケール補償データである。ｄ４とｄ８は、求める画素点が存在する位置の周囲において最も近い４つの事前選択画素点によって構成される長方形の右下の角の事前選択画素点において求める画素点が存在するグレースケールが位置するグレースケール領域における２つの境界グレースケールのグレースケール補償データである。
【００１６】
前記ムラ現象の補償方法は、さらに手順５を備える。手順５は、各境界表示領域においてｍ行目ｎ列目のまたはｍ行目ｎ列目から最も近い画素点を選択してそれを事前選択画素点とし、各境界表示領域における事前選択画素点の既知のＫ個のグレースケールのグレースケール補償データによって、公式（２）により各境界表示領域において事前選択画素点における任意のグレースケールのグレースケール補償データを算出する。対応する境界表示領域内におけるその他の画素点のグレースケール補償データと前記事前選択画素点のグレースケール補償データは、同じである。
【００１７】
（２）は、ｄ＝ｄ１×Ｃ１＋ｄ２×Ｃ２である。
【００１８】
そのうち、ｄ１は、前記事前選択画素点の求めるグレースケールが存在するグレースケール領域における右の境界のグレースケール補償データであり、ｄ２は、前記事前選択画素点の求めるグレースケールが存在するグレースケール領域における左の境界のグレースケール補償データである。第１グレースケール補間係数Ｃ１は、求めるグレースケールとグレースケール領域における右の境界との差の値と、グレースケール領域全体の長さの比率であり、前記第２グレースケール補間係数Ｃ２は、求めるグレースケールとグレースケール領域における左の境界との差の値と、グレースケール領域全体の長さの比率である。
【００１９】
前記手順３において、０≦Ａ１≦１、０≦Ａ２≦１である。さらに、求める画素点が同じである場合、Ａ１＋Ａ２＝１である。Ｍ×Ｎ個の画素点を含む１つの表示領域において、前記表示領域内における事前選択画素点が存在する列から順に右へ進み、前記表示領域の右の境界に到達すると、左の境界に進み、さらに前記事前選択画素点が存在する列の左側に隣接する一列にまで順に右へ進む。各列における求める画素点の第１水平補間係数Ａ１は、依順にＮ／Ｎ、Ｎ−１／Ｎ、……、１／Ｎであり、第２水平補間係数Ａ２は、順に０／Ｎ、１／Ｎ、……、Ｎ−１／Ｎである。
【００２０】
０≦Ｂ１≦１、０≦Ｂ２≦１である。さらに求める画素点が同じである場合、Ｂ１＋Ｂ２＝１である。Ｍ×Ｎ個の画素点を含む１つの表示領域において、前記表示領域内における事前選択画素点が存在する行から順に下へ進み、前記表示領域の下の境界に到達すると、上の境界へ進み、さらに前記事前選択画素点が存在する行の上側に隣接する一行にまで順に下へ進む。各行における求める画素点の第１垂直補間係数Ｂ１は、順にＭ／Ｍ、Ｍ−１／Ｍ、……、１／Ｍであり、第２垂直補間係数Ｂ２は、順に０／Ｍ、１／Ｍ、……、Ｍ−１／Ｍである。
【００２１】
求める画素点を入力したグレースケールデータ信号と既知のＫ個のグレースケールに基づいて比較を行い、求める画素点が存在するグレースケールが位置するグレースケール領域を取得する。０≦Ｃ１≦１、０≦Ｃ２≦１である。さらに求める画素点が同じである場合、Ｃ１＋Ｃ２＝１である。前記第１グレースケール補間係数Ｃ１は、求める画素点が存在するグレースケールとそれが位置するグレースケール領域の右の境界との差の値と、グレースケール領域全体の長さの比率であり、前記第２グレースケール補間係数Ｃ２は、求める画素点が存在するグレースケールとそれが位置するグレースケール領域の左の境界との差の値と、グレースケール領域全体の長さの比率である。
【００２２】
前記手順４において、求める画素点が存在する位置の周囲において最も近い４つの事前選択画素点は、それぞれ求める画素点が存在する表示領域の事前選択画素点と、求める画素点が存在する表示領域の右側と隣接する表示領域の事前選択画素点と、求める画素点が存在する表示領域の下側と隣接する表示領域の事前選択画素点と、求める画素点が存在する表示領域の右下の角と隣接する表示領域の事前選択画素点である。
【００２３】
前記手順２において、Ｍ×Ｎ個の画素点を含む各表示領域において、いずれも、１行目１列目という明確な位置における事前選択画素点を選択する。前記手順５では、各境界表示領域において１行目１列目の画素点を選択してそれを事前選択画素点とする。
【００２４】
前記手順２において、４つのメモリ装置を提供する。前記４つのメモリ装置は、それぞれ第１メモリ装置、第２メモリ装置、第３メモリ装置、第４メモリ装置である。複数のアレイ状に配置された事前選択画素点から成る配列に関して、前記第１メモリ装置は、奇数行奇数列に位置する事前選択画素点のＫ個のグレースケールにおけるグレースケール補償データを保存するのに用いられ、第２メモリ装置は、奇数行偶数列に位置する事前選択画素点のＫ個のグレースケールにおけるグレースケール補償データを保存するのに用いられ、第３メモリ装置は、偶数行奇数列に位置する事前選択画素点のＫ個のグレースケールにおけるグレースケール補償データを保存するのに用いられ、第４メモリ装置は、偶数行偶数列に位置する事前選択画素点のＫ個のグレースケールにおけるグレースケール補償データを保存するのに用いられる。
【００２５】
前記手順２における最大グレースケールは、２５５グレースケールである。
【００２６】
求める画素点が事前選択画素点である場合、公式（２）に基づいて任意のグレースケールにおける事前選択画素点のグレースケール補償データｄを計算する。
【００２７】
（２）は、ｄ＝ｄ１×Ｃ１＋ｄ２×Ｃ２である。
【００２８】
そのうち、ｄ１は、前記事前選択画素点の求めるグレースケールが存在するグレースケール領域における右の境界のグレースケール補償データであり、ｄ２は、前記事前選択画素点の求めるグレースケールが存在するグレースケール領域における左の境界のグレースケール補償データである。第１グレースケール補間係数Ｃ１は、求めるグレースケールとグレースケール領域における右の境界との差の値と、グレースケール領域全体の長さの比率であり、前記第２グレースケール補間係数Ｃ２は、求めるグレースケールとグレースケール領域における左の境界との差の値と、グレースケール領域全体の長さの比率である。
【００２９】
求める画素点が存在するグレースケールが前記Ｋ個のグレースケールのうちの１つのグレースケールである場合、求める画素点が存在するグレースケールのグレースケール補償データｄは、公式（３）によって計算される。
【００３０】
（３）は、ｄ＝（ｄ１×Ａ１＋ｄ２×Ａ２）×Ｂ１＋（ｄ３×Ａ１＋ｄ４×Ａ２）×Ｂ２である。
【００３１】
そのうち、ｄ１は、求める画素点が存在する位置の周囲において最も近い４つの事前選択画素点によって構成される長方形の左上の角の事前選択画素点における求める画素点が存在するグレースケールのグレースケール補償データであり、ｄ２は、求める画素点が存在する位置の周囲において最も近い４つの事前選択画素点によって構成される長方形の右上の角の事前選択画素点における求める画素点が存在するグレースケールのグレースケール補償データであり、ｄ３は、求める画素点が存在する位置の周囲において最も近い４つの事前選択画素点によって構成される長方形の左下の角の事前選択画素点における求める画素点が存在するグレースケールのグレースケール補償データであり、ｄ４は、求める画素点が存在する位置の周囲において最も近い４つの事前選択画素点によって構成される長方形の右下の角の事前選択画素点における求める画素点が存在するグレースケールのグレースケール補償データである。
【００３２】
本発明は、さらに以下の手順からなるムラ現象の補償方法を提供する。
【００３３】
手順１は、ＬＣＤ表示パネルを提供し、前記ＬＣＤ表示パネルを複数のアレイ状に配置された表示領域に分ける。ＭとＮは、どちらも１より大きい整数とし、各表示領域は、いずれも、Ｍ行目、Ｎ列目の画素点を備え、ＬＣＤ表示パネル境界部において画素点がＭ×Ｎ個に満たない場合、１つの境界表示領域と見なす。
【００３４】
手順２は、０のグレースケールと最大グレースケールを含むＫ個のグレースケールを選択する。Ｋを正整数とし、０から最大グレースケールまでを（Ｋ−１）個のグレースケール領域に分ける。Ｍ×Ｎ個の画素点を含む各表示領域において、いずれも、ｍ行目ｎ列目という明確な位置における事前選択画素点を選択する。そのうち、１≦ｍ≦Ｍ、１≦ｎ≦Ｎであり、前記事前選択画素点におけるＫ個のグレースケールのグレースケール補償データを取得する。
【００３５】
手順３は、求める画素点の対応する表示領域内における第１水平補間係数Ａ１と、第２水平補間係数Ａ２と、第１垂直補間係数Ｂ１と、第２垂直補間係数Ｂ２と、第１グレースケール補間係数Ｃ１と、第２グレースケール補間係数Ｃ２を計算する。
【００３６】
手順４は、求める画素点が存在する位置の周囲において最も近い４つの事前選択画素点のグレースケール補償データに基づき、公式（１）によって非境界表示領域における求める画素点が存在するグレースケールのグレースケール補償データｄを計算する。
【００３７】
（１）は、ｄ＝Ｃ１×（Ｂ１×（ｄ１×Ａ１＋ｄ２×Ａ２）＋Ｂ２×（ｄ３×Ａ１＋ｄ４×Ａ２））＋Ｃ２×（Ｂ１×（ｄ５×Ａ１＋ｄ６×Ａ２）＋Ｂ２×（ｄ７×Ａ１＋ｄ８×Ａ２））である。
【００３８】
そのうち、ｄ１とｄ５は、求める画素点が存在する位置の周囲において最も近い４つの事前選択画素点によって構成される長方形の左上の角の事前選択画素点において求める画素点が存在するグレースケールが位置するグレースケール領域における２つの境界グレースケールのグレースケール補償データである。ｄ２とｄ６は、求める画素点が存在する位置の周囲において最も近い４つの事前選択画素点によって構成される長方形の右上の角の事前選択画素点において求める画素点が存在するグレースケールが位置するグレースケール領域における２つの境界グレースケールのグレースケール補償データである。ｄ３とｄ７は、求める画素点が存在する位置の周囲において最も近い４つの事前選択画素点によって構成される長方形の左下の角の事前選択画素点において求める画素点が存在するグレースケールが位置するグレースケール領域における２つの境界グレースケールのグレースケール補償データである。ｄ４とｄ８は、求める画素点が存在する位置の周囲において最も近い４つの事前選択画素点によって構成される長方形の右下の角の事前選択画素点において求める画素点が存在するグレースケールが位置するグレースケール領域における２つの境界グレースケールのグレースケール補償データである。
【００３９】
さらに手順５は、各境界表示領域においてｍ行目ｎ列目のまたはｍ行目ｎ列目から最も近い画素点を選択してそれを事前選択画素点とし、各境界表示領域における事前選択画素点の既知のＫ個のグレースケールのグレースケール補償データによって、公式（２）により各境界表示領域において事前選択画素点における任意のグレースケールのグレースケール補償データを算出する。対応する境界表示領域内におけるその他の画素点のグレースケール補償データと前記事前選択画素点のグレースケール補償データは、同じである。
【００４０】
（２）は、ｄ＝ｄ１×Ｃ１＋ｄ２×Ｃ２である。
【００４１】
そのうち、ｄ１は、前記事前選択画素点の求めるグレースケールが存在するグレースケール領域における右の境界のグレースケール補償データであり、ｄ２は、前記事前選択画素点の求めるグレースケールが存在するグレースケール領域における左の境界のグレースケール補償データである。第１グレースケール補間係数Ｃ１は、求めるグレースケールとグレースケール領域における右の境界との差の値と、グレースケール領域全体の長さの比率であり、前記第２グレースケール補間係数Ｃ２は、求めるグレースケールとグレースケール領域における左の境界との差の値と、グレースケール領域全体の長さの比率である。
【００４２】
そのうち、前記手順３において、０≦Ａ１≦１、０≦Ａ２≦１である。さらに、求める画素点が同じである場合、Ａ１＋Ａ２＝１である。Ｍ×Ｎ個の画素点を含む１つの表示領域において、前記表示領域内における事前選択画素点が存在する列から順に右へ進み、前記表示領域の右の境界に到達すると、左の境界に進み、さらに前記事前選択画素点が存在する列の左側と隣接する一列にまで順に右へ進む。各列における求める画素点の第１水平補間係数Ａ１は、順にＮ／Ｎ、Ｎ−１／Ｎ、……、１／Ｎであり、第２水平補間係数Ａ２は、順に０／Ｎ、１／Ｎ、……、Ｎ−１／Ｎである。
【００４３】
０≦Ｂ１≦１、０≦Ｂ２≦１である。さらに求める画素点が同じである場合、Ｂ１＋Ｂ２＝１である。Ｍ×Ｎ個の画素点を含む１つの表示領域において、前記表示領域内における事前選択画素点が存在する行から順に下へ進み、前記表示領域の下の境界に到達すると、上の境界へ進み、さらに前記事前選択画素点が存在する行の上側と隣接する一行にまで順に下へ進む。各行における求める画素点の第１垂直補間係数Ｂ１は、順にＭ／Ｍ、Ｍ−１／Ｍ、……、１／Ｍであり、第２垂直補間係数Ｂ２は、順に０／Ｍ、１／Ｍ、……、Ｍ−１／Ｍである。
【００４４】
求める画素点を入力したグレースケールデータ信号と既知のＫ個のグレースケールに基づいて比較を行い、求める画素点が存在するグレースケールが位置するグレースケール領域を取得する。０≦Ｃ１≦１、０≦Ｃ２≦１である。さらに求める画素点が同じである場合、Ｃ１＋Ｃ２＝１である。前記第１グレースケール補間係数Ｃ１は、求める画素点が存在するグレースケールとそれが位置するグレースケール領域の右の境界との差の値と、グレースケール領域全体の長さの比率であり、前記第２グレースケール補間係数Ｃ２は、求める画素点が存在するグレースケールとそれが位置するグレースケール領域の左の境界との差の値と、グレースケール領域全体の長さの比率である。
【００４５】
そのうち、前記手順４において、求める画素点が存在する位置の周囲において最も近い４つの事前選択画素点は、それぞれ求める画素点が存在する表示領域の事前選択画素点と、求める画素点が存在する表示領域の右側と隣接する表示領域の事前選択画素点と、求める画素点が存在する表示領域の下側と隣接する表示領域の事前選択画素点と、求める画素点が存在する表示領域の右下の角と隣接する表示領域の事前選択画素点である。
【発明の効果】
【００４６】
本発明が提供するムラ現象の補償方法は、ＬＣＤ表示パネルを複数の表示領域に分けることによって、各表示領域において、いずれも、明確な位置にある事前選択画素点を選択するとともに、グレースケールをそれぞれ選定したグレースケール補償データを取得した後、対応する表示領域内における求める画素点の各項の補間係数を計算することで、それぞれのグレースケールにおける一部の画素点の補償データと求める画素点の各項の補間係数の補間値によって、すべてのグレースケールにおけるすべての画素点のグレースケール補償データを算出することができ、計算の難易度を落とし、演算量を減らし、ハードウェアのメモリの消費を抑えて、ムラ補償の效果を保証するとともに、時間と手間を省き、簡単且つ迅速に補償を行う。
【００４７】
本発明の特徴及び技術内容をさらに分かりやすくするため、以下に本発明に関する詳しい説明と図を参照する。しかしながら、図は参考と説明のためにのみ提供するものであって、本発明に制限を加えるためのものではない。
【図面の簡単な説明】
【００４８】
以下に図と組み合わせて、本発明の具体的な実施方法を詳述することによって、本発明の技術案及びその他の有利な効果をさらに明らかにする。
【図１】本発明におけるムラ現象の補償方法のフローチャートである。
【図２】本発明のムラ現象の補償方法において表示パネルを表示領域に分け、画素点を事前選択した状態を示した図である。
【図３】本発明のムラ現象の補償方法において求める画素点の８個の既知のグレースケール補償データと６個の補間係数の関係を示した図である。
【図４】本発明のムラ現象の補償方法において８×８個の画素点を含む表示領域を例とし、表示領域から１行目１列目の画素点を選択してそれを事前選択画素点とした状態を示した図である。
【図５】図４に示す表示領域において左から右の各列に対応する求める画素点の第１水平補間係数Ａ１と第２水平補間係数Ａ２の数値表である。
【図６】図４に示す表示領域において上から下の各行に対応する求める画素点の第１垂直補間係数Ｂ１と第２垂直補間係数Ｂ２の数値表である。
【図７】本発明のムラ現象の補償方法における第１グレースケール補間係数Ｃ１と第２グレースケール補間係数Ｃ２の生成方法の実施例の１つを示した図である。
【図８】本発明のムラ現象の補償方法における、事前選択画素点における求めるグレースケールのグレースケール補償データと、それが存在するグレースケール領域における境界グレースケールのグレースケール補償データとの間の関係を示した図である。
【発明を実施するための形態】
【００４９】
本発明が採用した技術手段及びその効果をさらに詳しく説明するため、以下に本発明の好ましい実施例及び図を添えて詳細する。
【００５０】
図１を参照する。本発明は、以下の手順からなるムラ現象の補償方法を提供する。
【００５１】
手順１は、Ｘ×Ｙ（１＜Ｘ≦８１９２、１＜Ｙ≦８１９２）個の画素点を含むＬＣＤ表示パネルを提供する。図２に示す通り、前記ＬＣＤ表示パネルを複数のアレイ状に配置された表示領域に分ける。ＭとＮは、どちらも１より大きい整数とし、各表示領域は、いずれも、Ｍ行、Ｎ列（１＜Ｍ≦８１９２、１＜Ｎ≦８１９２）の画素点を含む。ＬＣＤ表示パネル境界部において画素点がＭ×Ｎ個に満たない場合も１つの境界表示領域とみなす。
【００５２】
手順２は、０のグレースケールと最大グレースケールを含むＫ個のグレースケールを選択する。Ｋを正整数とし、０から最大グレースケールまでを（Ｋ−１）個のグレースケール領域に分ける。そのうち、１＜Ｋ≦９９９である。例えば、最大グレースケールを２５５グレースケールとし、０グレースケール、１６グレースケール、３２グレースケール、６４グレースケール、１２８グレースケール、２５５グレースケールの６つのグレースケールを選択し、０から２５５グレースケールを５つのグレースケール領域に分け、それぞれ（０、１６）、（１６、３２）、（３２、６４）、（６４、１２８）、（１２８、２５５）とするのが好ましい。図２に示す通り、Ｍ×Ｎ個の画素点を含む各表示領域において、いずれも、ｍ行目ｎ列目という明確な位置における事前選択画素点Ｐを選択する。そのうち、１≦ｍ≦Ｍ、１≦ｎ≦Ｎであり、前記事前選択画素点ＰのＫ個のグレースケールにおけるグレースケール補償データを取得する。Ｍ×Ｎ個の画素点を含む各表示領域において、いずれも、１行目１列目という明確な位置における事前選択画素点Ｐを選択することが好ましい。
【００５３】
重要な点として、前記手順２は、４つのメモリ装置を提供する。前記４つのメモリ装置は、それぞれ第１メモリ装置、第２メモリ装置、第３メモリ装置、第４メモリ装置である。複数のアレイ状に配置された事前選択画素点Ｐから成る配列に関して、前記第１メモリ装置は、奇数行奇数列に位置する事前選択画素点ＰのＫ個のグレースケールにおけるグレースケール補償データを保存するのに用いられ、第２メモリ装置は、奇数行偶数列の事前選択画素点ＰのＫ個のグレースケールにおけるグレースケール補償データを保存するのに用いられ、第３メモリ装置は、偶数行奇数列の事前選択画素点ＰのＫ個のグレースケールにおけるグレースケール補償データを保存するのに用いられ、第４メモリ装置は、偶数行偶数列の事前選択画素点ＰのＫ個のグレースケールにおけるグレースケール補償データを保存するのに用いられる。
【００５４】
図２と図３を同時に参照する。手順３は、求める画素点の対応する表示領域内における第１水平補間係数Ａ１と、第２水平補間係数Ａ２と、第１垂直補間係数Ｂ１と、第２垂直補間係数Ｂ２と、第１グレースケール補間係数Ｃ１と、第２グレースケール補間係数Ｃ２を計算する。
【００５５】
そのうち、０≦Ａ１≦１、０≦Ａ２≦１である。さらに、求める画素点が同じである場合、Ａ１＋Ａ２＝１である。Ｍ×Ｎ個の画素点を含む１つの表示領域において、前記表示領域内における事前選択画素点Ｐが存在する列から順に右へ進み、前記表示領域の右の境界に到達した後、左の境界へ進み、さらに順に右へ進み、前記事前選択画素点Ｐが存在する列の左側と隣接する一列に到達する。各列における求める画素点の第１水平補間係数Ａ１は、順にＮ／Ｎ、Ｎ−１／Ｎ、……、１／Ｎであり、第２水平補間係数Ａ２は、順に０／Ｎ、１／Ｎ、……、Ｎ−１／Ｎである（事前選択画素点Ｐが存在する列が左の境界である場合、最後の一列は右の境界である）。
【００５６】
０≦Ｂ１≦１、０≦Ｂ２≦１である。さらに求める画素点が同じである場合、Ｂ１＋Ｂ２＝１である。Ｍ×Ｎ個の画素点を含む１つの表示領域において、前記表示領域内における事前選択画素点Ｐが存在する行から順に下へ進み、前記表示領域の下の境界に到達した後、上の境界へ進み、さらに順に下へ進み、前記事前選択画素点Ｐが存在する行の上側と隣接する一行に到達する。各行における求める画素点の第１垂直補間係数Ｂ１は、順にＭ／Ｍ、Ｍ−１／Ｍ、……、１／Ｍであり、第２垂直補間係数Ｂ２は、順に０／Ｍ、１／Ｍ、……、Ｍ−１／Ｍである（事前選択画素点Ｐが存在する行が上の境界である場合、最後の一行は下の境界である）。
【００５７】
求める画素点を入力したグレースケールデータ信号と既知のＫ個のグレースケールに基づいて比較を行い、求める画素点が存在するグレースケールが位置するグレースケール領域を取得する。０≦Ｃ１≦１、０≦Ｃ２≦１である。さらに求める画素点が同じである場合、Ｃ１＋Ｃ２＝１である。前記第１グレースケール補間係数Ｃ１は、求める画素点が存在するグレースケールとそれが位置するグレースケール領域の右の境界との差の値と、グレースケール領域全体の長さの比率であり、前記第２グレースケール補間係数Ｃ２は、求める画素点が存在するグレースケールとそれが位置するグレースケール領域の左の境界との差の値と、グレースケール領域全体の長さの比率である。
【００５８】
図４に示す通り、例として、ＬＣＤ表示パネルの解像度を１０８０×１９２０とし、前記ＬＣＤ表示パネルを１３５×２４０個の表示領域に分けると、各表示領域は、いずれも、８行、８列の画素点を備え、  Ｋ個のグレースケールは、０グレースケール、１６グレースケール、３２グレースケール、６４グレースケール、１２８グレースケール、２５５グレースケールの計６つのグレースケールとなる。各表示領域における１行目１列目の画素点を選択してそれを事前選択画素点Ｐとする。第１メモリ装置、第２メモリ装置、第３メモリ装置、第４メモリ装置のビット深度は、いずれも、４８ビットであり、それぞれ奇数行奇数列、奇数行偶数列、偶数行奇数列、偶数行偶数列の事前選択画素点Ｐの６個のグレースケールにおける各８桁のグレースケール補償データを対応して保存する。
【００５９】
図５に示す通り、各表示領域において、左から右方向における第１列から第８列の求める画素点の第１水平補間係数Ａ１、つまり各行の左から右における８つの求める画素点の第１水平補間係数Ａ１は、順に８／８、７／８、６／８、５／８、４／８、３／８、２／８、１／８であり、対応する第２水平補間係数Ａ２は、順に０／８、１／８、２／８、３／８、４／８、５／８、６／８、７／８である。
【００６０】
図６に示す通り、上から下方向における各行の求める画素点の第１垂直補間係数Ｂ１、つまり各列の上から下における８つの求める画素点の第１垂直補間係数Ｂ１は、順に８／８、７／８、６／８、５／８、４／８、３／８、２／８、１／８であり、対応する第２垂直補間係数Ｂ２は、順に０／８、１／８、２／８、３／８、４／８、５／８、６／８、７／８である。
【００６１】
最大グレースケールを２５５グレースケールとし、０グレースケール、１６グレースケール、３２グレースケール、６４グレースケール、１２８グレースケール、２５５グレースケールの６つのグレースケールを選択し、０から２５５グレースケールを５つのグレースケール領域に分け、例として、それぞれ（０、１６）、（１６、３２）、（３２、６４）、（６４、１２８）、（１２８、２５５）とする。８桁の２進数１０、０００、０００を１と見なすと、第１グレースケール補間係数Ｃ１と第２グレースケール補間係数Ｃ２を計算する場合、同様に前記第１グレースケール補間係数Ｃ１と第２グレースケール補間係数Ｃ２は、どちらも１つの８桁の２進数であり、最大桁は整数桁であり、その余りの桁は小数桁であるとものとする。求める画素点が入力された８桁の二進法のグレースケールデータ信号に基づいて、求めるグレースケールが存在するグレースケール領域を確定する。具体的には、求める画素点が入力された８桁の二進法のグレースケールデータ信号における最高桁が１である場合、求めるグレースケールの（１２８、２５５）グレースケール領域において、入力されたグレースケールデータが１１、０００、０００より小さい場合、第１グレースケール補間係数Ｃ１の小数桁は、入力されたグレースケールデータ信号の下位７桁であり、整数桁は０にする。入力されたグレースケールデータが１１、０００、０００より大きいまたは等しい場合、第１グレースケール補間係数Ｃ１の小数桁は、入力されたグレースケールデータ信号の下位７桁に１を加え、整数桁は０にし、第２グレースケール補間係数Ｃ２＝１０、０００、０００−Ｃ１となる。入力されたグレースケールデータ信号の最高桁が０であり、２番目に大きい桁は１である場合、求めるグレースケールの（６４、１２８）グレースケール領域における、第１グレースケール補間係数Ｃ１の小数桁の上から６桁は、入力されたグレースケールデータ信号の下位６桁であり、その余りの下位桁には０を付け加え、整数桁を０とし、第２グレースケール補間係数Ｃ２＝１０、０００、０００−Ｃ１となる。入力されたグレースケールデータ信号の上位２桁が０である場合、３桁目は１であり、求めるグレースケールの（３２、６４）グレースケール領域における、第１グレースケール補間係数Ｃ１の小数桁における上から５桁は、入力されたグレースケールデータ信号の下位五桁であり、その余りの下位桁には０を付け加え、整数桁は０にし、第２グレースケール補間係数Ｃ２＝１０、０００、０００−Ｃ１となる。入力されたグレースケールデータ信号の上位３桁が０である場合、４桁目は１であり、求めるグレースケールの（１６、３２）グレースケール領域における、第１グレースケール補間係数Ｃ１の小数桁における上位４桁は入力されたグレースケールデータ信号の下位４桁であり、その余りの下位桁には０を付け加え、整数桁を０とし、第２グレースケール補間係数Ｃ２＝１０、０００、０００−Ｃ１となる。入力されたグレースケールデータ信号の上位４桁が０である場合、求めるグレースケールの（０、１６）グレースケール領域における、第１グレースケール補間係数Ｃ１の小数桁における上位４桁は、入力されたグレースケールデータ信号の下位４桁であり、その余りの下位桁には０を付け加え、整数桁は０にし、第２グレースケール補間係数Ｃ２＝１０、０００、０００−Ｃ１となる。図７に示す通り、入力されたグレースケールデータ信号は、００、１０１、０１１であるとすると、生成される第１グレースケール補間係数Ｃ１は、００、１０１、１００であり、第２グレースケール補間係数Ｃ２は、０１、０１０、１００である。
【００６２】
手順４は、求める画素点が存在する位置の周囲において最も近い４つの事前選択画素点Ｐのグレースケール補償データに基づいて、公式（１）により非境界表示領域において求める画素点が存在するグレースケールのグレースケール補償データｄを計算する。
【００６３】
（１）は、ｄ＝Ｃ１×（Ｂ１×（ｄ１×Ａ１＋ｄ２×Ａ２）＋Ｂ２×（ｄ３×Ａ１＋ｄ４×Ａ２））＋Ｃ２×（Ｂ１×（ｄ５×Ａ１＋ｄ６×Ａ２）＋Ｂ２×（ｄ７×Ａ１＋ｄ８×Ａ２））である。
【００６４】
図２と図３を同時に参照する。そのうち、ｄ１とｄ５は、求める画素点が存在する位置の周囲において最も近い４つの事前選択画素点Ｐによって構成される長方形における左上の角の事前選択画素点Ｐの求める画素点が存在するグレースケールが位置するグレースケール領域における２つの境界グレースケールのグレースケール補償データである。ｄ２とｄ６は、求める画素点が存在する位置の周囲において最も近い４つの事前選択画素点Ｐによって構成される長方形における右上の角の事前選択画素点Ｐの求める画素点が存在するグレースケールが位置するグレースケール領域における２つの境界グレースケールのグレースケール補償データである。ｄ３とｄ７は、求める画素点が存在する位置の周囲において最も近い４つの事前選択画素点Ｐによって構成される長方形における左下の角の事前選択画素点Ｐの求める画素点が存在するグレースケールが位置するグレースケール領域における２つの境界グレースケールのグレースケール補償データである。ｄ４とｄ８は、求める画素点が存在する位置の周囲において最も近い４つの事前選択画素点Ｐによって構成される長方形における右下の角の事前選択画素点Ｐの求める画素点が存在するグレースケールが位置するグレースケール領域における２つの境界グレースケールのグレースケール補償データである。
【００６５】
図２、図４に示す通り、求める画素点が存在する位置の周囲において最も近い４つの事前選択画素点Ｐは、それぞれ求める画素点が存在する表示領域における事前選択画素点Ｐ、求める画素点が存在する表示領域の右側と隣接する表示領域における事前選択画素点Ｐ、求める画素点が存在する表示領域の下側と隣接する表示領域における事前選択画素点Ｐ、求める画素点が存在する表示領域の右下の角と隣接する表示領域における事前選択画素点Ｐであることが好ましい。
【００６６】
特に、求める画素点が事前選択画素点Ｐである場合、公式（２）により任意のグレースケールにおける事前選択画素点Ｐのグレースケール補償データｄを計算する。
【００６７】
（２）は、ｄ＝ｄ１×Ｃ１＋ｄ２×Ｃ２である。
【００６８】
図２、図３、図８を同時に参照する。そのうち、ｄ１は、前記事前選択画素点Ｐの求めるグレースケールが存在するグレースケール領域における右の境界のグレースケール補償データであり、ｄ２は、前記事前選択画素点Ｐの求めるグレースケールが存在するグレースケール領域における左の境界のグレースケール補償データである。第１グレースケール補間係数Ｃ１は、求めるグレースケールとグレースケール領域における右の境界との差の値と、グレースケール領域全体の長さの比率であり、前記第２グレースケール補間係数Ｃ２は、求めるグレースケールとグレースケール領域における左の境界との差の値と、グレースケール領域全体の長さの比率である。
【００６９】
特に、求める画素点が存在するグレースケールが前記Ｋ個のグレースケールのうちの１つのグレースケールである場合、求める画素点が存在するグレースケールのグレースケール補償データｄは、公式（３）によって計算される。
【００７０】
（３）は、ｄ＝（ｄ１×Ａ１＋ｄ２×Ａ２）×Ｂ１＋（ｄ３×Ａ１＋ｄ４×Ａ２）×Ｂ２である。
【００７１】
図２と図３を同時に参照する。そのうち、ｄ１は、求める画素点が存在する位置の周囲において最も近い４つの事前選択画素点Ｐによって構成される長方形における左上の角の事前選択画素点Ｐの求める画素点が存在するグレースケールにおけるグレースケール補償データであり、ｄ２は、求める画素点が存在する位置の周囲において最も近い４つの事前選択画素点Ｐによって構成される長方形における右上の角の事前選択画素点Ｐの求める画素点が存在するグレースケールにおけるグレースケール補償データであり、ｄ３は、求める画素点が存在する位置の周囲において最も近い４つの事前選択画素点Ｐによって構成される長方形における左下の角の事前選択画素点Ｐの求める画素点が存在するグレースケールにおけるグレースケール補償データであり、ｄ４は、求める画素点が存在する位置の周囲において最も近い４つの事前選択画素点Ｐによって構成される長方形における右下の角の事前選択画素点Ｐの求める画素点が存在するグレースケールにおけるグレースケール補償データである。
【００７２】
Ａ１は、求める画素点の第１水平補間係数であり、Ａ２は、求める画素点の第２水平補間係数であり、Ｂ１は、求める画素点の第１垂直補間係数であり、Ｂ２は、求める画素点の第２垂直補間係数Ｂ２である。
【００７３】
境界表示領域における画素点に関して言うと、境界領域の画素点がＭ×Ｎ個に満たない可能性があり、また、対応する４つの既知のグレースケール補償データの事前選択画素点Ｐが存在しない可能性もあり、その場合、公式（１）を採用してグレースケール補償データを計算することができないため、本発明のムラ現象の補償方法は、さらに手順５を備える。
【００７４】
手順５は、各境界表示領域においてｍ行目ｎ列目またはｍ行目ｎ列目から最も近い画素点を選択してそれを事前選択画素点Ｐとし、各境界表示領域における事前選択画素点Ｐの既知のＫ個のグレースケールのグレースケール補償データによって、公式（２）により任意のグレースケールにおける前記事前選択画素点Ｐのグレースケール補償データを算出する。前記境界表示領域内のその他の画素点に対応するグレースケール補償データと前記事前選択画素点Ｐのグレースケール補償データは、同じである。
【００７５】
（２）は、ｄ＝ｄ１×Ｃ１＋ｄ２×Ｃ２である。
【００７６】
そのうち、ｄ１は、前記事前選択画素点Ｐの求めるグレースケールが存在するグレースケール領域における右の境界のグレースケール補償データであり、ｄ２は、前記事前選択画素点Ｐの求めるグレースケールが存在するグレースケール領域における左の境界のグレースケール補償データである。第１グレースケール補間係数Ｃ１は、求めるグレースケールとグレースケール領域における右の境界との差の値と、グレースケール領域全体の長さの比率であり、前記第２グレースケール補間係数Ｃ２は、求めるグレースケールとグレースケール領域における左の境界との差の値と、グレースケール領域全体の長さの比率である。
【００７７】
前記手順５では、同様に、各境界表示領域において１行目１列目の画素点を選択してそれを事前選択画素点Ｐとすることが好ましい。
【００７８】
要約すると、本発明が提供するムラ現象の補償方法は、ＬＣＤ表示パネルを複数の表示領域に分けることによって、各表示領域において、いずれも、明確な位置にある事前選択画素点を選択するとともに、そのそれぞれ選定したグレースケール補償データを取得した後、求める画素点の対応する表示領域における各項の補間係数を計算することで、それぞれのグレースケールにおける一部の画素点の補償データと求める画素点の各項の補間係数によって、すべてのグレースケールにおけるすべての画素点のグレースケール補償データを算出することができるため、計算の難易度を落とし、演算量を減らし、ハードウェアのメモリの消費を抑えるとともに、補間計算の補間値によって各画素点における補償データと実際に必要とされる補償データの差が開かないことを保証でき、肉眼では識別することのできない效果が達成されることで、効果的にムラ現象が改善され、時間と手間が省かれ、簡単且つ迅速に補償を行うことができる。
【００７９】
上述は、本分野の一般の技術者からすると、本発明の技術案の解決策と技術構想に基づいてその他の各種対応する変化や変形を作り出すことができるため、これら全ての変化や変形は全て本発明の特許請求範囲に属するものとする。
【符号の説明】
【００８０】
Ａ１  第１水平補間係数
Ａ２  第２水平補間係数
Ｂ１  第１垂直補間係数
Ｂ２  第２垂直補間係数
Ｃ１  第１グレースケール補間係数
Ｃ２  第２グレースケール補間係数
Ｐ  画素点
【図１】
0006625737.tif 000002
【図２】
0006625737.tif 000003
【図３】
0006625737.tif 000004
【図４】
0006625737.tif 000005
【図５】
0006625737.tif 000006
【図６】
0006625737.tif 000007
【図７】
0006625737.tif 000008
【図８】
0006625737.tif 000009